(57)【要約】  テーブルタップの複数のコンセント部における電流量を各々測定する電流測定部により、テーブルタップの複数のコンセント部において電流が流れていないときに、各々の前記電流測定部における電圧値を測定する第１の測定工程と、前記コンセント部のいずれか一つに電流が流れているときに、各々の前記電流測定部における電圧値を測定する第２の測定工程と、前記第２の測定における電圧値と前記第１の測定における電圧値との差を要素とする行列の逆行列となる補正式を算出する補正式算出工程と、を有することを特徴とするテーブルタップの電流量補正式算出方法により上記課題を解決する。
2011148720.tif 000002
【特許請求の範囲】
【請求項１】
テーブルタップの複数のコンセント部における電流量を各々測定する電流測定部により、テーブルタップの複数のコンセント部において電流が流れていないときに、各々の前記電流測定部における電圧値を測定する第１の測定工程と、
前記コンセント部のいずれか一つに電流が流れているときに、各々の前記電流測定部における電圧値を測定する第２の測定工程と、
前記第２の測定における電圧値と前記第１の測定における電圧値との差を要素とする行列の逆行列となる補正式を算出する補正式算出工程と、
を有することを特徴とするテーブルタップの電流量補正式算出方法。
【請求項２】
前記電流測定部は、各々の前記コンセント部に前記電流が流れることにより発生する磁界を検出し、前記磁界により変化する電圧値の測定を行うものであることを特徴とする請求項１に記載のテーブルタップの電流量補正式算出方法。
【請求項３】
前記電流測定部はホール素子を含むものであることを特徴とする請求項２に記載のテーブルタップの電流量補正式算出方法。
【請求項４】
前記テーブルタップには、記憶部が設けられており、
前記第１の測定工程において測定された電圧値は、前記記憶部に記憶されることを特徴とする請求項１から３のいずれかに記載のテーブルタップの電流量補正式算出方法。
【請求項５】
前記補正式は、前記記憶部に記憶されることを特徴とする請求項４に記載のテーブルタップの電流量補正式算出方法。
【請求項６】
前記第２の測定工程において測定された電圧値は、前記記憶部に記憶されていることを特徴とする請求項４または５に記載のテーブルタップの電流量補正式算出方法。
【請求項７】
テーブルタップの複数のコンセント部における電流量を各々測定する電流測定部により、テーブルタップの複数のコンセント部において電流が流れていないときに、各々の前記電流測定部における電圧値を測定する第１の測定が行なわれ、
前記コンセント部のいずれか一つに電流が流れているときに、各々前記電流測定部における電圧値を測定する第２の測定が行なわれ、
前記第２の測定における電圧値と前記第１の測定における電圧値との差を要素とする行列の逆行列となる補正式を算出する補正式算出が行なわれているテーブルタップの電流量測定方法において、
前記テーブルタップに電気機器が接続された状態において、前記電流測定部における電圧値を測定する第３の測定工程と、
前記第３の測定工程において測定した電圧値と前記第１の測定により測定した電圧値との差である初期化された値を算出する初期化工程と、
前記補正式と、前記初期化された値に基づき各々のコンセント部に流れる各々の電流量を算出する電流量算出工程と、
を有することを特徴とするテーブルタップの電流量測定方法。
【請求項８】
前記電流測定部は、各々の前記コンセント部に前記電流が流れることにより発生する磁界を検出し、前記磁界により変化する電圧値の測定を行うものであることを特徴とする請求項７に記載のテーブルタップの電流量測定方法。
【請求項９】
前記電流測定部はホール素子を含むものであることを特徴とする請求項８に記載のテーブルタップの電流量測定方法。
【請求項１０】
前記テーブルタップには、記憶部が設けられており、
前記第１の測定において測定された電圧値は、前記記憶部に記憶されることを特徴とする請求項７から１０のいずれかに記載のテーブルタップの電流量測定方法。
【請求項１１】
前記補正式は、前記記憶部に記憶されることを特徴とする請求項１０に記載のテーブルタップの電流量測定方法。
【請求項１２】
前記電流量算出工程の前に、前記記憶部に記憶されている前記第１の測定において測定された電圧値及び前記補正式を読出す読出し工程を有することを特徴とする請求項１１に記載のテーブルタップの電流量測定方法。
【請求項１３】
前記第２の測定において測定された電圧値は、前記記憶部に記憶されていることを特徴とする請求項１０または１１に記載のテーブルタップの電流量測定方法。
【請求項１４】
前記補正式算出工程の前に、前記記憶部に記憶されている前記第１の測定において測定された電圧値及び前記記憶部に記憶されている前記第２の測定において測定された電圧値を読出す読出し工程を有することを特徴とする請求項１３に記載のテーブルタップの電流量測定方法。
【請求項１５】
前記第３の測定工程、前記初期化工程及び前記電流量算出工程を順次複数回繰り返して行うものであって、
前記電流量算出工程の各々において得られた複数の電流値の平均値を算出し、前記平均値を平均電流値とすることを特徴とする請求項７から１４のいずれかに記載のテーブルタップの電流量測定方法。
【請求項１６】
請求項７から１５のいずれかに記載の電流量測定方法により算出された前記電流量または前記平均電流量と、前記コンセント部に印加される電圧との積により各々のコンセント部における電力を算出することを特徴とするテーブルタップの電力測定方法。
【請求項１７】
テーブルタップの複数のコンセント部における電流量を各々測定する電流測定部により、テーブルタップの複数のコンセント部において電流が流れていないときに、各々の前記電流測定部における電圧値を測定する第１の測定工程と、
前記コンセント部のいずれか一つに電流が流れているときに、前記電流測定部における電圧値を各々測定する第２の測定工程と、
前記第２の測定における電圧値と前記第１の測定における電圧値との差を要素とする行列の逆行列となる補正式を算出する補正式算出工程と、
を有することを特徴とするテーブルタップの製造方法。
【請求項１８】
複数のコンセント部と、
前記コンセント部における電流量を各々測定する電流測定部と、
複数の前記コンセント部において電流が流れていないときに各々測定された電流測定部における第１の測定の電圧値、前記コンセント部のいずれか一つに電流が流れているときに各々測定された前記電流測定部における第２の測定の電圧値及び前記第２の測定における電圧値と前記第１の測定における電圧値との差を要素とする行列の逆行列となる補正式が記憶されているメモリ部と、
電気機器が接続された状態において各々測定された前記電流測定部における第３の測定の電圧値と、前記第１の測定により測定した電圧値、前記補正式に基づき各々のコンセント部に流れる各々の電流量を算出する演算部と、
を有することを特徴とするテーブルタップ。
【請求項１９】
複数のコンセント部と、前記コンセント部における電流量を各々測定する電流測定部と、を有するテーブルタップと、
複数の前記コンセント部において電流が流れていないときに各々測定された電流測定部における第１の測定の電圧値、前記コンセント部のいずれか一つに電流が流れているときに各々測定された前記電流測定部における第２の測定の電圧値及び前記第２の測定における電圧値と前記第１の測定における電圧値との差を要素とする行列の逆行列となる補正式が記憶されているメモリ部と、
前記テーブルタップに電気機器が接続された状態において各々測定された前記電流測定部における第３の測定の電圧値と、前記第１の測定により測定した電圧値、前記補正式に基づき各々のコンセント部に流れる各々の電流量を算出する演算部と、
を有することを特徴とする電流量測定システム。
【請求項２０】
電子計算機を有しており、
前記電子計算機には、前記メモリ部及び前記演算部のいずれか一方、又は、双方が設けられていることを特徴とする請求項１９に記載の電流量測定システム。
【発明の詳細な説明】
【技術分野】
【０００１】
本発明は、テーブルタップの電流量補正式算出方法、電流量測定方法、電力測定方法、製造方法、テーブルタップ及び電流量測定システムに関するものである。
【背景技術】
【０００２】
一般家庭及びオフィス等においては、電力を供給するためのテーブルタップが用いられている。テーブルタップは、複数の電気機器等に接続するためのコンセントを有しており、各々の電気機器に電力を供給することが可能である。【０００３】
一方、近年において、電力需要の増加、地球環境への配慮から、電力消費の削減が求められており、このような電力消費の削減への取り組みの方策の一つとして、各々の電気機器がどの程度電力を消費しているか把握することへの要求がある。即ち、各々の電気機器等の消費電力及び使用状況を把握して、電気機器の配置等を最適化することにより、電力消費の削減を図るものである。
【先行技術文献】
【特許文献】
【０００４】
【特許文献１】特表２００７−５２２６３４号公報
【特許文献２】特開平７−２４０２５９号公報
【特許文献３】特開２００２−９８７１５号公報
【発明の概要】
【発明が解決しようとする課題】
【０００５】
ところで、テーブルタップは一つのコンセントより電力の供給を受け、テーブルタップに接続されている各々の電気機器等に電力を供給するものであるため、通常、各々の電気機器等における消費電力を個別に知ることはできない。例えば、特許文献３に記載されている方法では、テーブルタップ全体に流れる電流量を検出して消費電力を算出することは可能であるが、テーブルタップのコンセントに接続されている各々の電気機器等における消費電力を個別に知ることはできない。【０００６】
このため、テーブルタップに接続されている電気機器等における消費電力を各々個別に知ることのできるテーブルタップが求められており、このテーブルタップを用いて、正確に消費電力を測定することのできるテーブルタップの電流量補正式算出方法、電流量測定方法、電力測定方法、製造方法、テーブルタップ及び電流量測定システムが求められている。
【課題を解決するための手段】
【０００７】
本実施の形態の一観点によれば、テーブルタップの複数のコンセント部における電流量を各々測定する電流測定部により、テーブルタップの複数のコンセント部において電流が流れていないときに、各々の前記電流測定部における電圧値を測定する第１の測定工程と、前記コンセント部のいずれか一つに電流が流れているときに、各々の前記電流測定部における電圧値を測定する第２の測定工程と、前記第２の測定における電圧値と前記第１の測定における電圧値との差を要素とする行列の逆行列となる補正式を算出する補正式算出工程と、を有することを特徴とする。【０００８】
また、本実施の形態の他の一観点によれば、テーブルタップの複数のコンセント部における電流量を各々測定する電流測定部により、テーブルタップの複数のコンセント部において電流が流れていないときに、各々の前記電流測定部における電圧値を測定する第１の測定が行なわれ、前記コンセント部のいずれか一つに電流が流れているときに、各々前記電流測定部における電圧値を測定する第２の測定が行なわれ、前記第２の測定における電圧値と前記第１の測定における電圧値との差を要素とする行列の逆行列となる補正式を算出する補正式算出が行なわれているテーブルタップの電流量測定方法において、前記テーブルタップに電気機器が接続された状態において、前記電流測定部における電圧値を測定する第３の測定工程と、前記第３の測定工程において測定した電圧値と前記第１の測定により測定した電圧値との差である初期化された値を算出する初期化工程と、前記補正式と、前記初期化された値に基づき各々のコンセント部に流れる各々の電流量を算出する電流量算出工程と、を有することを特徴とする。【０００９】
また、本実施の形態の他の一観点によれば、テーブルタップの複数のコンセント部における電流量を各々測定する電流測定部により、テーブルタップの複数のコンセント部において電流が流れていないときに、各々の前記電流測定部における電圧値を測定する第１の測定工程と、前記コンセント部のいずれか一つに電流が流れているときに、前記電流測定部における電圧値を各々測定する第２の測定工程と、前記第２の測定における電圧値と前記第１の測定における電圧値との差を要素とする行列の逆行列となる補正式を算出する補正式算出工程と、を有することを特徴とする。【００１０】
また、本実施の形態の他の一観点によれば、複数のコンセント部と、前記コンセント部における電流量を各々測定する電流測定部と、複数の前記コンセント部において電流が流れていないときに各々測定された電流測定部における第１の測定の電圧値、前記コンセント部のいずれか一つに電流が流れているときに各々測定された前記電流測定部における第２の測定の電圧値及び前記第２の測定における電圧値と前記第１の測定における電圧値との差を要素とする行列の逆行列となる補正式が記憶されているメモリ部と、電気機器が接続された状態において各々測定された前記電流測定部における第３の測定の電圧値と、前記第１の測定により測定した電圧値、前記補正式に基づき各々のコンセント部に流れる各々の電流量を算出する演算部と、を有することを特徴とする。【００１１】
また、本実施の形態の他の一観点によれば、複数のコンセント部と、前記コンセント部における電流量を各々測定する電流測定部と、を有するテーブルタップと、複数の前記コンセント部において電流が流れていないときに各々測定された電流測定部における第１の測定の電圧値、前記コンセント部のいずれか一つに電流が流れているときに各々測定された前記電流測定部における第２の測定の電圧値及び前記第２の測定における電圧値と前記第１の測定における電圧値との差を要素とする行列の逆行列となる補正式が記憶されているメモリ部と、前記テーブルタップに電気機器が接続された状態において各々測定された前記電流測定部における第３の測定の電圧値と、前記第１の測定により測定した電圧値、前記補正式に基づき各々のコンセント部に流れる各々の電流量を算出する演算部と、を有することを特徴とする。
【発明の効果】
【００１２】
開示のテーブルタップの電流量補正式算出方法、電流量測定方法、電力測定方法、製造方法、テーブルタップ及び電流量測定システムによれば、テーブルタップに接続されている複数の電気機器等に流れる電流量及び消費電力を各々正確に測定することができる。
【図面の簡単な説明】
【００１３】
【図１】第１から第３の実施の形態に用いられるテーブルタップの斜視図
【図２】第１から第３の実施の形態に用いられるテーブルタップの構造図
【図３】第１から第３の実施の形態に用いられるテーブルタップのブロック図
【図４】テーブルタップにプラグコンセントが差込まれた状態を示す斜視図
【図５】第１の実施の形態における電流量測定方法のフローチャート（１）
【図６】第１の実施の形態における電流量測定方法の説明図（１）
【図７】第１の実施の形態における電流量測定方法のフローチャート（２）
【図８】第１の実施の形態における電流量測定方法の説明図（２）
【図９】第２の実施の形態における電流量測定方法のフローチャート
【図１０】第３の実施の形態における電流量測定方法のフローチャート（１）
【図１１】第３の実施の形態における電流量測定方法のフローチャート（２）
【図１２】第４の実施の形態に用いられるテーブルタップの構造図
【図１３】第４の実施の形態における電流量測定方法のフローチャート（１）
【図１４】第４の実施の形態における電流量測定方法のフローチャート（２）
【図１５】第５の実施の形態における電流量測定システムのブロック図
【図１６】第６の実施の形態における電流量測定システムのブロック図
【図１７】第７の実施の形態における電流量測定システムのブロック図
【発明を実施するための形態】
【００１４】
発明を実施するための形態について、以下に説明する。尚、同じ部材等については、同一の符号を付して説明を省略する。
【００１５】
〔第１の実施の形態〕
第１の実施の形態について説明する。本実施の形態は、図１から図３に示すテーブルタップにおける電力の測定方法である。図１から図３に基づき、本実施の形態において用いられるテーブルタップについて説明する。
【００１６】
（テーブルタップ）
本実施の形態に用いられるテーブルタップは、４つのコンセント部１０Ａ、１０Ｂ、１０Ｃ、１０Ｄを有している。各々のコンセント部は、電力供給を行うための電源ジャック端子１１Ａ、１１Ｂ、１１Ｃ、１１Ｄ及び電源ジャック端子１２Ａ、１２Ｂ、１２Ｃ、１２Ｄが設けられており、また、ＧＮＤジャック端子（接地端子）１３Ａ、１３Ｂ、１３Ｃ、１３Ｄが設けられている。電源ジャック端子１１Ａ、１１Ｂ、１１Ｃ、１１Ｄは、電力供給を行うための電力バス２１と接続されており、電源ジャック端子１２Ａ、１２Ｂ、１２Ｃ、１２Ｄは、電力供給を行うための電力バス２２と接続されている。更に、電力バス２１及び電力バス２２は、テーブルタップに電力を供給するための不図示のコンセント等に接続されている。また、ＧＮＤジャック端子１３Ａ、１３Ｂ、１３Ｃ、１３Ｄは、接地されているＧＮＤバス２３に接続されている。
【００１７】
電気機器等に電力供給を行う際には、電気機器等に設けられた２本の刃状の電源プラグ端子を電源ジャック端子１１Ａ及び電源ジャック端子１２Ａに差込むことにより、電源ジャック端子１１Ａ及び電源ジャック端子１２Ａと電源プラグ端子は電気的に接続される。これにより、電源ジャック端子１１Ａから電気機器等に、電気機器等から電源ジャック端子１２Ａへと電流が流れ、電気機器等に電力を供給することができる。電気機器等に設けられた２本の電源プラグ端子を電源ジャック端子１１Ｂと電源ジャック端子１２Ｂ、電源ジャック端子１１Ｃと電源ジャック端子１２Ｃ、電源ジャック端子１１Ｄと電源ジャック端子１２Ｄに差込んだ場合においても同様である。図４は、４つのコンセント部１０Ａ、１０Ｂ、１０Ｃ、１０Ｄのうち、３つのコンセント部１０Ａ、１０Ｂ、１０Ｄにおいて、電気機器等の電源プラグ端子３１Ａ、３１Ｂ、３１Ｃが差込まれた状態を示している。この状態において、電源プラグ端子３１Ａ、３１Ｂ、３１Ｃが差込まれた電気機器等のうち、ＯＮ状態になっている電気機器等に矢印に示されるような電流が流れ、更には、これに対応するコンセント部等に電流が流れる。尚、３つのコンセント部１０Ａ、１０Ｂ、１０Ｄにおいて、電気機器等の電源プラグ端子３１Ａ、３１Ｂ、３１Ｃが差込まれた状態においては、ＧＮＤプラグ端子３２Ａ、３２Ｂ、３２ＣがＧＮＤジャック端子１３Ａ、１３Ｂ、１３Ｄが差込まれている。
【００１８】
また、本実施の形態に用いられるテーブルタップには、電力バス２１と電力バス２１より分岐した各々の電源ジャック端子１１Ａ、１１Ｂ、１１Ｃ、１１Ｄとの間に、電流センサ４０Ａ、４０Ｂ、４０Ｃ、４０Ｄが設けられている。この電流センサ４０Ａ、４０Ｂ、４０Ｃ、４０Ｄは、電力バス２１と各々の電源ジャック端子１１Ａ、１１Ｂ、１１Ｃ、１１Ｄとの間に流れる電流により生じる磁界の強度を検出することにより、流れる電流量を検出するものである。このため、電流センサ４０Ａには、ギャップ部分が形成されたフェライトコア４１Ａとホール素子４２Ａが設けられており、ホール素子４２Ａは、フェライトコア４１Ａのギャップ部分に設置されている。同様に、電流センサ４０Ｂには、フェライトコア４１Ｂとホール素子４２Ｂが設けられており、電流センサ４０Ｃには、フェライトコア４１Ｃとホール素子４２Ｃが設けられており、電流センサ４０Ｄには、フェライトコア４１Ｄとホール素子４２Ｄが設けられている。また、ホール素子４２Ｂは、フェライトコア４１Ｂのギャップ部分に設置されており、ホール素子４２Ｃは、フェライトコア４１Ｃのギャップ部分に設置されており、ホール素子４２Ｄは、フェライトコア４１Ｄのギャップ部分に設置されている。
【００１９】
この電流センサ４０Ａは、電力バス２１と電源ジャック端子１１Ａとの間に電流が流れることにより磁界が発生し、発生した磁界によりフェライトコア４１Ａ内に磁束が生じ、この磁束をホール素子４２Ａが検出することにより、流れる電流量を検出するものである。このことは、電流センサ４０Ｂ、４０Ｃ、４０Ｄについても同様である。即ち、電流センサ４０Ｂは、電力バス２１と電源ジャック端子１１Ｂとの間に電流が流れることにより磁界が発生し、発生した磁界によりフェライトコア４１Ｂ内に磁束が生じ、この磁束をホール素子４２Ｂが検出することにより、流れる電流量を検出する。また、電流センサ４０Ｃは、電力バス２１と電源ジャック端子１１Ｃとの間に電流が流れることにより磁界が発生し、発生した磁界によりフェライトコア４１Ｃ内に磁束が生じ、この磁束をホール素子４２Ｃが検出することにより、流れる電流量を検出する。また、電流センサ４０Ｄは、電力バス２１と電源ジャック端子１１Ｄとの間に電流が流れることにより磁界が発生し、発生した磁界によりフェライトコア４１Ｄ内に磁束が生じ、この磁束をホール素子４２Ｄが検出することにより、流れる電流量を検出する。
【００２０】
尚、本実施の形態では、図３に示されるように、一例として交流（ＡＣ）の電流が流れることにより生じる磁界をホール素子により検出する場合について説明したが、ホール素子を用いた場合では、供給される電力は交流であっても直流（ＤＣ）であってもよい。また、供給される電力が交流の場合であれば、フェライトコアに、コイル等を設けたカレント・トランス方式であってもよい。この場合においては、フェライトコアにギャップ部分を設ける必要はない。
【００２１】
このように、本実施の形態に用いられるテーブルタップでは、コンセント部１０Ａ、１０Ｂ、１０Ｃ、１０Ｄに流れる電流を各々に設けられた電流センサ４０Ａ、４０Ｂ、４０Ｃ、４０Ｄにおいて検出した出力電圧の値に基づき算出することができるものである。よって、算出された電流量に基づき各々のコンセント部において接続されている電気機器等における消費電力を算出することができる。
【００２２】
また、本実施の形態に用いられるテーブルタップには、ＡＤコンバータ（アナログデジタルコンバータ）５０、制御演算部６０、通信部７０が設けられている。
【００２３】
ＡＤコンバータ５０は、各々のホール素子４２Ａ、４２Ｂ、４２Ｃ、４２Ｄにおいて検出された出力電圧の値であるアナログ信号をデジタル信号に変換するものである。
【００２４】
制御演算部６０には、電流量の算出のための演算を行うＭＰＵ（Micro Processing Unit）６１、情報の書き込み及び読出しを行うためのメモリ部６２、通信部７０において情報伝達の制御を行うためのＩ／Ｏ部６３が設けられている。尚、ＭＰＵ６１には、メモリ部６２の他に、一時的に情報を記憶するためのメモリを有している場合がある。また、ＭＰＵ６１は演算部と記載する場合があり、メモリ部６２は記憶部と記載する場合がある。
【００２５】
通信部７０としては、例えば、ＵＳＢ（Universal Serial Bus）ポートが挙げられ、通信部７０と不図示の電子計算機であるコンピュータ等と接続された状態で、Ｉ／Ｏ部６３における制御により、不図示のコンピュータとの間で情報の受送信を行うことができる。
【００２６】
本実施の形態において用いられるテーブルタップにおいては、電流が流れることにより磁界が発生し、この磁界を検出することにより、電流量を測定する方法である。このため、例えば、隣接するコンセントにおいて電流が流れている場合、隣接するコンセントに流れる電流により磁界が発生し、この磁界の影響により電流が流れていないフェライトコアにおいても磁束が発生する。この磁束によりホール素子により検出される出力電圧の値が変化させ、電気機器等に電力が供給されていない状態のコンセント部においても、電流が流れているものとして電流量が検出されてしまう場合がある。また、一方のコンセント部に電流が流れている場合のフェライトコアにおいても、隣接する他方のコンセント部において電流が流れていると、電流が流れることにより発生する磁界により、一方のコンセント部のフェライトコアにおける磁束に影響を与える場合がある。この場合においても、ホール素子により検出される出力電圧の値が変化し、実際に流れている電流量とは異なる電流量が検出されてしまう場合がある。
【００２７】
より詳細に図４に基づき具体的に説明すると、コンセント部１０Ｂ及びコンセント部１０Ｄにおいて電気機器等が接続され電流が流れている場合、コンセント部１０Ｂ及びコンセント部１０Ｄにおいて流れる電流により磁界が発生する。この発生した磁界が、隣接するコンセント部１０Ｃにおける電流量を検出するためのフェライトコア４１Ｃに影響を与え磁束を変化させてしまう。ホール素子４２Ｃでは、このようにフェライトコア４１Ｃ内において変化した磁束により、出力電圧の値を検出するため、この出力電圧の値に基づき得られる電流量は、実際に流れている電流量とは異なる値となる。このため、コンセント部１０Ｃには、電流が流れていない場合においても、電流が流れているものとして電流量が検出されてしまう場合等が生じてしまう。
【００２８】
（電流量測定方法及び電力測定方法）
次に、図５から図８に基づき本実施の形態における電流量測定方法及び電力測定方法について説明する。最初に、図５に基づき本実施の形態において用いられるテーブルタップの出荷までの工程について説明する。
【００２９】
まず、ステップ１０２（Ｓ１０２）において、上述した本実施の形態において用いられるテーブルタップの組立を行う。このテーブルタップは、４つのコンセント部を有しており、各々のコンセント部１０Ａ、１０Ｂ、１０Ｃ、１０Ｄについては、１ｃｈ、２ｃｈ、３ｃｈ、４ｃｈという場合がある。
【００３０】
次に、ステップ１０４（Ｓ１０４）において、組み立てられたテーブルタップに測定器を接続する。具体的には、組み立てられたテーブルタップに電源及び電流量等を測定するための測定機器を接続する。
【００３１】
次に、ステップ１０６（Ｓ１０６）において、すべてのコンセント部に電流が流れていない状態における各々のホール素子の出力電圧の値を測定する。即ち、コンセント部１０Ａ、１０Ｂ、１０Ｃ、１０Ｄの全てにおいて流れる電流量が０Ａの場合において、各々のホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１０、Ｖ２０、Ｖ３０、Ｖ４０であり、各々の出力電圧の値は一時的に記憶される。尚、コンセント部に電流が流れていない状態とは、コンセント部に電流が流されていない状態を意味するものであり、少しでも流れている状態は除かれる。
【００３２】
次に、ステップ１０８（Ｓ１０８）において、１ｃｈのコンセント部に電流が流れている状態における出力電圧の値を測定する。即ち、コンセント部１０Ａにのみ、ＩＡ、例えば１Ａの電流を流し、他のコンセント部１０Ｂ、１０Ｃ、１０Ｄには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１１、Ｖ２１、Ｖ３１、Ｖ４１であり、各々の出力電圧の値は一時的に記憶される。
【００３３】
次に、ステップ１１０（Ｓ１１０）において、２ｃｈのコンセント部に電流が流れている状態における出力電圧の値を測定する。即ち、コンセント部１０Ｂにのみ、ＩＡ、例えば１Ａの電流を流し、他のコンセント部１０Ａ、１０Ｃ、１０Ｄには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１２、Ｖ２２、Ｖ３２、Ｖ４２であり、各々の出力電圧の値は一時的に記憶される。
【００３４】
次に、ステップ１１２（Ｓ１１２）において、３ｃｈのコンセント部に電流が流れている状態における出力電圧の値を測定する。即ち、コンセント部１０Ｃにのみ、ＩＡ、例えば１Ａの電流を流し、他のコンセント部１０Ａ、１０Ｂ、１０Ｄには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１３、Ｖ２３、Ｖ３３、Ｖ４３であり、各々の出力電圧の値は一時的に記憶される。
【００３５】
次に、ステップ１１４（Ｓ１１４）において、４ｃｈのコンセント部に電流が流れている状態における出力電圧の値を測定する。即ち、コンセント部１０Ｄにのみ、ＩＡ、例えば１Ａの電流を流し、他のコンセント部１０Ａ、１０Ｂ、１０Ｃには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１４、Ｖ２４、Ｖ３４、Ｖ４４であり、各々の出力電圧の値は一時的に記憶される。
【００３６】
次に、ステップ１１６（Ｓ１１６）において、補正式を算出する。具体的には、上述したステップ１０６からステップ１１４において測定した各々の出力電圧の値に基づき、図６に示す補正式となる行列を算出する。この補正式となる行列は、ステップ１０８からステップ１１４において測定した出力電圧の値と、ステップ１０６において測定した出力電圧の値との差を要素とする行列の逆行列である。この補正式となる行列の算出は、ＭＰＵ６１において行うことも可能であるが、通信部７０を介し接続された不図示のコンピュータにおいて行ってもよい。尚、コンピュータにおいて行う場合には、通信部７０と不図示のコンピュータとの間で必要な情報の受送信が行われる。
【００３７】
次に、ステップ１１８（Ｓ１１８）において、補正データの書込みを行う。具体的には、テーブルタップのメモリ部６２に、ステップ１０６において測定した初期値となるＶ１０、Ｖ２０、Ｖ３０、Ｖ４０及びステップ１１６において算出した補正式となる行列を書き込む。
【００３８】
本実施の形態において用いられるテーブルタップは、この状態で出荷されるため、図５に示すフローチャートはこれで終了する。
【００３９】
次に、図７に基づき本実施の形態における電流量測定方法及び電力測定方法について説明する。本実施の形態における電流量測定方法及び電力測定方法に用いられるテーブルタップは、上述した図５に示すフローチャートを終了し、出荷された後の状態におけるテーブルタップである。
【００４０】
最初に、ステップ２０２（Ｓ２０２）において、本実施の形態において用いられるテーブルタップを起動する。具体的には、本実施の形態において用いられるテーブルタップを電源に接続する。例えば、本実施の形態において用いられるテーブルタップに、ケーブル等を介し電力の供給を受けるためのコンセントが設けられている場合には、そのコンセントを電力が供給される電源となるコンセントに接続する。
【００４１】
次に、ステップ２０４（Ｓ２０４）において、メモリ部６２より補正データの読出しを行う。具体的には、ステップ１１８において書き込まれた情報、即ち、メモリ部６２に記憶されている初期値となるＶ１０、Ｖ２０、Ｖ３０、Ｖ４０及び補正式となる行列がＭＰＵ６１に読出される。
【００４２】
次に、ステップ２０６（Ｓ２０６）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態でホール素子４２Ａ、４２Ｂ、４２Ｃ、４２Ｄにより測定された出力電圧の値は、各々Ｖ１、Ｖ２、Ｖ３、Ｖ４として記憶される。尚、この測定は、不図示のコンピュータより発せられた所定のコマンドに基づき計測を行ってもよい。この場合、所定のコマンドは、通信部７０を介しＭＰＵ６１に伝達され、ＭＰＵ６１の制御により、ホール素子４２Ａ、４２Ｂ、４２Ｃ、４２Ｄにおける出力電圧の値の測定を行う。
【００４３】
次に、ステップ２０８（Ｓ２０８）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ６１において、Ｖ１−Ｖ１０、Ｖ２−Ｖ２０、Ｖ３−Ｖ３０、Ｖ４−Ｖ４０の値を算出することにより、各々のコンセント部１０Ａ、１０Ｂ、１０Ｃ、１０Ｄに対応したゼロ点補正を行う。
【００４４】
次に、ステップ２１０（Ｓ２１０）において、キャリブレーション補正を行う。具体的には、図８に示す行列式に基づき各々の各々のコンセント部１０Ａ、１０Ｂ、１０Ｃ、１０Ｄに流れる電流値をＭＰＵ６１において算出する。図８に示す行列式は、Ｐ１に示す補正式となる行列（逆行列となる行列）と、Ｐ２に示すステップ２０８において算出したゼロ点補正を行ったものとＩＡとの積を要素とする行列に基づき算出する。このように算出された電流値Ｉ１、Ｉ２、Ｉ３、Ｉ４は、各々のコンセント部１０Ａ、１０Ｂ、１０Ｃ、１０Ｄにおいて実際に流れる電流値であり、隣接するコンセント部の影響を取り除いた正確な電流値である。尚、ＩＡは、ステップ１０８からステップ１１４における測定の際に流した電流量であり、例えば、ステップ１０８からステップ１１４において流した電流量ＩＡが１Ａである場合には１Ａである。
【００４５】
次に、ステップ２１２（Ｓ２１２）において、ステップ２１０において算出された電流値Ｉ１、Ｉ２、Ｉ３、Ｉ４を出力する。具体的には、テーブルタップより通信部７０を介し、電流値Ｉ１、Ｉ２、Ｉ３、Ｉ４を不図示のコンピュータ等に出力する。コンピュータでは、この電流値Ｉ１、Ｉ２、Ｉ３、Ｉ４とテーブルタップにおいて印加されている電圧に基づき、各々のコンセント部１０Ａ、１０Ｂ、１０Ｃ、１０Ｄにおいて消費される電力を算出することができる。これにより、コンセント部１０Ａ、１０Ｂ、１０Ｃ、１０Ｄに接続されている各々の電気機器等の消費電力を正確に知ることができる。
【００４６】
以上により、本実施の形態における電流量測定方法及び電力測定方法は終了する。本実施の形態における電流量測定方法及び電力測定方法によれば、各々のコンセント部１０Ａ、１０Ｂ、１０Ｃ、１０Ｄに接続されている電気機器等において消費される電力を正確に知ることができる。
【００４７】
尚、本実施の形態では、コンセント部が４つの場合について説明したが、コンセント部の数はこれよりも多くても少なくてもよい。この場合においても同様に各々のコンセント部における消費電力を正確に知ることができる。
【００４８】
〔第２の実施の形態〕
次に、第２の実施の形態について説明する。本実施の形態は、第１の実施の形態における図５に示すフローチャートが終了した状態のテーブルタップを用いた電流量測定方法及び電力測定方法であり、電流測定を複数回行うものである。図９に基づき本実施の形態について説明する。
【００４９】
最初に、ステップ３０２（Ｓ３０２）において、本実施の形態において用いられるテーブルタップを起動する。具体的には、本実施の形態において用いられるテーブルタップを電源に接続する。例えば、本実施の形態において用いられるテーブルタップに電力の供給を受けるためのコンセントが設けられている場合には、そのコンセントを電源となるコンセントに接続する。
【００５０】
次に、ステップ３０４（Ｓ３０４）において、メモリ部６２より補正データの読出しを行う。具体的には、第１の実施の形態におけるステップ１１８において書き込まれた情報、即ち、メモリ部６２に記憶されている初期値となるＶ１０、Ｖ２０、Ｖ３０、Ｖ４０及び補正式となる行列がＭＰＵ６１に読出される。
【００５１】
次に、ステップ３０６（Ｓ３０６）において、所定の回数の測定を行ったか否か判断が行われる。具体的には、本実施の形態における電流量測定方法及び電力測定方法では、ホール素子における測定を所定の回数行った後、平均化する方法であるため、測定回数が所定の回数であるか否かが判断される。例えば、所定の回数をＮとした場合に、初期値を０とし、ホール素子における測定を一回行うごとに１ずつ加算されていくカウンタを用いて、ホール素子による測定が所定の回数行われたか否かを判断する。ホール素子による測定が所定の回数行われたものと判断された場合には、ステップ３１６に移行する。一方、ホール素子による測定が所定の回数に満たないものと判断された場合には、ステップ３０８に移行する。
【００５２】
次に、ステップ３０８（Ｓ３０８）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態でホール素子４２Ａ、４２Ｂ、４２Ｃ、４２Ｄにより測定された出力電圧の値は、各々Ｖ１、Ｖ２、Ｖ３、Ｖ４として記憶される。
【００５３】
次に、ステップ３１０（Ｓ３１０）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ６１において、Ｖ１−Ｖ１０、Ｖ２−Ｖ２０、Ｖ３−Ｖ３０、Ｖ４−Ｖ４０の値を各々算出することにより、各々のコンセント部１０Ａ、１０Ｂ、１０Ｃ、１０Ｄに対応したゼロ点補正を行う。
【００５４】
次に、ステップ３１２（Ｓ３１２）において、キャリブレーション補正を行う。具体的には、図８に示す行列式に基づき各々の各々のコンセント部１０Ａ、１０Ｂ、１０Ｃ、１０Ｄに流れる電流値をＭＰＵ６１において算出する。図８に示す行列式は、Ｐ１に示す補正式となる行列（逆行列となる行列）と、Ｐ２に示すステップ３１０において算出したゼロ点補正を行ったものとＩＡとの積を要素とする行列に基づき算出する。このように算出された電流値Ｉ１１、Ｉ２１、Ｉ３１、Ｉ４１は、各々のコンセント部１０Ａ、１０Ｂ、１０Ｃ、１０Ｄにおいて流れる実際の電流値であり、隣接するコンセント部の影響を取り除いた正確な電流値である。尚、本実施の形態においては、図８における電流値Ｉ１、Ｉ２、Ｉ３、Ｉ４は、電流値Ｉ１１、Ｉ２１、Ｉ３１、Ｉ４１等と置き換えられる。
【００５５】
次に、ステップ３１４（Ｓ３１４）において、ステップ３１２において算出された電流値Ｉ１１、Ｉ２１、Ｉ３１、Ｉ４１を記憶する。具体的には、メモリ部６２またはＭＰＵ６１内のメモリに電流値Ｉ１１、Ｉ２１、Ｉ３１、Ｉ４１を記憶させる。この後、ステップ３０６に移行する。この後の工程において、２回目に算出された電流値は各々電流値Ｉ１２、Ｉ２２、Ｉ３２、Ｉ４２として記憶され、ｎ回目に算出された電流値は各々電流値Ｉ１ｎ、Ｉ２ｎ、Ｉ３ｎ、Ｉ４ｎとして記憶される。
【００５６】
一方、ステップ３１６（Ｓ３１６）において、平均電流値を算出する。具体的には、モリ部６２またはＭＰＵ６１内のメモリに記憶されている各々の測定回数ごとの電流値の平均をとることにより、平均電流値Ｉ１０、Ｉ２０、Ｉ３０、Ｉ４０を算出する。即ち、電流値Ｉ１１、Ｉ１２・・・Ｉ１ｎ・・・の平均値を算出することにより、平均電流値Ｉ１０を算出する。同様に、電流値Ｉ２１、Ｉ２２・・・Ｉ２ｎ・・・の平均値より平均電流値Ｉ２０を算出し、電流値Ｉ３１、Ｉ３２・・・Ｉ３ｎ・・・の平均値より平均電流値Ｉ３０を算出し、電流値Ｉ４１、Ｉ４２・・・Ｉ４ｎ・・・の平均値より平均電流値Ｉ４０を算出する。
【００５７】
次に、ステップ３１８（Ｓ３１８）において、テーブルタップより通信部７０を介し、平均電流値Ｉ１０、Ｉ２０、Ｉ３０、Ｉ４０を不図示のコンピュータ等に出力する。コンピュータでは、この平均電流値Ｉ１０、Ｉ２０、Ｉ３０、Ｉ４０とテーブルタップにおいて印加されている電圧に基づき、各々のコンセント部１０Ａ、１０Ｂ、１０Ｃ、１０Ｄに接続されている電気機器等において消費される電力を算出することができる。
【００５８】
以上により、本実施の形態における電流量測定方法及び電力測定方法は終了する。本実施の形態における電流量測定方法及び電力測定方法によれば、各々のコンセント部１０Ａ、１０Ｂ、１０Ｃ、１０Ｄにおいて消費される平均的な電力を正確に知ることができる。
【００５９】
尚、上記以外の内容については、第１の実施の形態と同様である。
【００６０】
〔第３の実施の形態〕
次に、第３の実施の形態について説明する。本実施の形態は、第１の実施の形態とは異なる電流量測定方法及び電力測定方法である。尚、本実施の形態で用いるテーブルタップは、第１の実施の形態において説明したテーブルタップと同様のものである。最初に、図１０に基づき本実施の形態において用いられるテーブルタップの出荷までの工程について説明する。
【００６１】
まず、ステップ４０２（Ｓ４０２）において、上述した本実施の形態において用いられるテーブルタップの組立を行う。このテーブルタップは、４つのコンセント部を有しており、各々のコンセント部１０Ａ、１０Ｂ、１０Ｃ、１０Ｄについては、１ｃｈ、２ｃｈ、３ｃｈ、４ｃｈという場合がある。
【００６２】
次に、ステップ４０４（Ｓ４０４）において、組み立てられたテーブルタップに測定器を接続する。具体的には、組み立てられたテーブルタップに電源及び電流量等を測定するための測定機器を接続する。
【００６３】
次に、ステップ４０６（Ｓ４０６）において、すべてのコンセント部に電流が流れていない状態における各々のホール素子の出力電圧の値を測定する。即ち、コンセント部１０Ａ、１０Ｂ、１０Ｃ、１０Ｄの全てにおいて流れる電流量が０Ａの場合において、各々のホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１０、Ｖ２０、Ｖ３０、Ｖ４０であり、初期値となる値である。各々の出力電圧の値であるＶ１０、Ｖ２０、Ｖ３０、Ｖ４０は一時的に記憶される。
【００６４】
次に、ステップ４０８（Ｓ４０８）において、１ｃｈのコンセント部に電流が流れている状態における出力電圧の値を測定する。即ち、コンセント部１０Ａにのみ、ＩＡ、例えば１Ａの電流を流し、他のコンセント部１０Ｂ、１０Ｃ、１０Ｄには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１１、Ｖ２１、Ｖ３１、Ｖ４１であり、各々の出力電圧の値は一時的に記憶される。
【００６５】
次に、ステップ４１０（Ｓ４１０）において、２ｃｈのコンセント部に電流が流れている状態における出力電圧の値を測定する。即ち、コンセント部１０Ｂにのみ、ＩＡ、例えば１Ａの電流を流し、他のコンセント部１０Ａ、１０Ｃ、１０Ｄには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１２、Ｖ２２、Ｖ３２、Ｖ４２であり、各々の出力電圧の値は一時的に記憶される。
【００６６】
次に、ステップ４１２（Ｓ４１２）において、３ｃｈのコンセント部に電流が流れている状態における出力電圧の値を測定する。即ち、コンセント部１０Ｃにのみ、ＩＡ、例えば１Ａの電流を流し、他のコンセント部１０Ａ、１０Ｂ、１０Ｄには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１３、Ｖ２３、Ｖ３３、Ｖ４３であり、各々の出力電圧の値は一時的に記憶される。
【００６７】
次に、ステップ４１４（Ｓ４１４）において、４ｃｈのコンセント部に電流が流れている状態における出力電圧の値を測定する。即ち、コンセント部１０Ｄにのみ、ＩＡ、例えば１Ａの電流を流し、他のコンセント部１０Ａ、１０Ｂ、１０Ｃには電流が流れていない状態において、ホール素子４２Ａ、４２Ｂ、４２Ｃ、４２Ｄの出力電圧の値を測定する。この際、ホール素子４２Ａ、４２Ｂ、４２Ｃ、４２Ｄにおいて検出される出力電圧の値は、各々Ｖ１４、Ｖ２４、Ｖ３４、Ｖ４４であり、各々の出力電圧の値は一時的に記憶される。
【００６８】
次に、ステップ４１６（Ｓ４１６）において、補正データの書込みを行う。具体的には、メモリ部６２に、ステップ４０６において測定した出力電圧の値であるＶ１０、Ｖ２０、Ｖ３０、Ｖ４０及び、ステップ４０８からステップ４１４において測定したホール素子４２Ａ、４２Ｂ、４２Ｃ、４２Ｄにおける出力電圧の値を書き込む。
【００６９】
本実施の形態において用いられるテーブルタップは、この状態で出荷されるため、図１０に示すフローチャートはこれで終了する。
【００７０】
次に、図１１に基づき本実施の形態における電流量測定方法及び電力測定方法について説明する。本実施の形態における電流量測定方法及び電力測定方法に用いられるテーブルタップは、上述した図１０に示すフローチャートを終了し、出荷された後の状態におけるテーブルタップである。
【００７１】
最初に、ステップ５０２（Ｓ５０２）において、本実施の形態において用いられるテーブルタップを起動する。具体的には、本実施の形態において用いられるテーブルタップが、電源に接続する。例えば、本実施の形態において用いられるテーブルタップに電力の供給を受けるためのコンセントが設けられている場合には、そのコンセントを電力が供給される電源に接続する。
【００７２】
次に、ステップ５０４（Ｓ５０４）において、メモリ部６２より補正データの読出しを行う。具体的には、ステップ４１６において書き込まれた情報、即ち、上述したステップ４０６からステップ４１４において測定した出力電圧の値がＭＰＵ６１に読出される。
【００７３】
次に、ステップ５０６（Ｓ５０６）において、補正式を算出する。具体的には、ステップ５０６において読出された出力電圧の値に基づき、図６に示す補正式となる行列を算出する。この補正式となる行列は、ステップ４０８からステップ４１４において測定した出力電圧の値と、ステップ４０６において測定した出力電圧の値との差を要素とする行列の逆行列である。
【００７４】
次に、ステップ５０８（Ｓ５０８）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態でホール素子４２Ａ、４２Ｂ、４２Ｃ、４２Ｄにより測定された出力電圧の値は、各々Ｖ１、Ｖ２、Ｖ３、Ｖ４として記憶される。尚、この測定は、不図示のコンピュータより発せられた所定のコマンドに基づき計測を行ってもよい。この場合、所定のコマンドは、通信部７０を介しＭＰＵ６１に伝達され、ＭＰＵ６１の制御により、ホール素子４２Ａ、４２Ｂ、４２Ｃ、４２Ｄにおける出力電圧の値の測定を行う。
【００７５】
次に、ステップ５１０（Ｓ５１０）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ６１において、Ｖ１−Ｖ１０、Ｖ２−Ｖ２０、Ｖ３−Ｖ３０、Ｖ４−Ｖ４０の値の各々算出することにより、各々のコンセント部１０Ａ、１０Ｂ、１０Ｃ、１０Ｄに対応したゼロ点補正を行う。
【００７６】
次に、ステップ５１２（Ｓ５１２）において、キャリブレーション補正を行う。具体的には、図８に示す行列式に基づき各々の各々のコンセント部１０Ａ、１０Ｂ、１０Ｃ、１０Ｄに流れる電流値をＭＰＵ６１において算出する。図８に示す行列式は、Ｐ１に示す補正式となる行列（逆行列となる行列）と、Ｐ２に示すステップ２０８において算出したゼロ点補正を行ったものとＩＡとの積を要素とする行列に基づき算出する。このように算出された電流値Ｉ１、Ｉ２、Ｉ３、Ｉ４は、各々のコンセント部１０Ａ、１０Ｂ、１０Ｃ、１０Ｄにおいて流れる実際の電流値であり、隣接するコンセント部の影響を取り除いた正確な電流値である。
【００７７】
次に、ステップ５１４（Ｓ５１４）において、ステップ５１２において算出された電流値Ｉ１、Ｉ２、Ｉ３、Ｉ４を出力する。具体的には、テーブルタップより通信部７０を介し、電流値Ｉ１、Ｉ２、Ｉ３、Ｉ４を不図示のコンピュータ等に出力する。コンピュータでは、この電流値Ｉ１、Ｉ２、Ｉ３、Ｉ４とテーブルタップにおいて印加されている電圧に基づき、各々のコンセント部１０Ａ、１０Ｂ、１０Ｃ、１０Ｄにおいて消費される電力を算出することができる。
【００７８】
以上により、本実施の形態における電流量測定方法及び電力測定方法は終了する。本実施の形態における電流量測定方法及び電力測定方法によれば、各々のコンセント部１０Ａ、１０Ｂ、１０Ｃ、１０Ｄに接続されている電気機器等において消費される電力を正確に知ることができる。
【００７９】
尚、本実施の形態では、コンセント部が４つの場合について説明したが、コンセント部の数はこれよりも多くても少なくてもよい。この場合においても同様に各々のコンセント部における消費電力を正確に得ることができる。
【００８０】
〔第４の実施の形態〕
次に、第４の実施の形態について説明する。本実施の形態は、図１２に示すようにフェライトコアの近傍にサーミスタ等の温度測定部６１を設けた構造のテーブルタップにおける電流量測定方法及び電力測定方法である。
【００８１】
温度測定部８０は、フェライトコアにおける磁束の温度変化に対応するために設けられている。即ち、フェライトコアは温度により磁束の状態が変化するため、この温度依存性における補正を行うために設けられている。このため、温度測定部８０は、フェライトコア４１Ａ、４１Ｂ、４１Ｃ、４１Ｄのいずれかの近傍の１箇所に設けてもよく、また、各々のフェライトコア４１Ａ、４１Ｂ、４１Ｃ、４１Ｄの各々の近傍に設けてもよい。
【００８２】
本実施の形態において用いられるテーブルタップにおいて、所定の温度ごとに、例えば、第１の実施の形態における図５に示すステップ１０２からステップ１１８を行う。これにより、所定の温度ごとの補正データをメモリ部６２に記憶させることができる。例えば、テーブルタップの温度を２０℃、３０℃、４０℃に設定して、各々の温度における補正データを第１の実施の形態における方法により算出しメモリ部６２に記憶させる。
【００８３】
図１３に基づき上記内容について説明する。
【００８４】
最初に、ステップ６０２（Ｓ６０２）において、上述した本実施の形態において用いられるテーブルタップの組立を行う。このテーブルタップは、４つのコンセント部１０Ａ、１０Ｂ、１０Ｃ、１０Ｄを有している。
【００８５】
次に、ステップ６０４（Ｓ６０４）において、組み立てられたテーブルタップに測定器を接続する。具体的には、組み立てられたテーブルタップを電源及び電流量等を測定するための測定機器を接続する。
【００８６】
次に、ステップ６０６（Ｓ６０６）において、第１の温度に設定して試験を行う。具体的には、第１の温度に設定して、第１の実施の形態におけるステップ１０６からステップ１１４を行う。例えば、テーブルタップを２０℃の温度に設定した状態で、第１の実施の形態におけるステップ１０６からステップ１１４を行う。
【００８７】
次に、ステップ６０８（Ｓ６０８）において、第２の温度に設定して試験を行う。具体的には、第２の温度に設定して、第１の実施の形態におけるステップ１０６からステップ１１４を行う。例えば、テーブルタップを３０℃の温度に設定した状態で、第１の実施の形態におけるステップ１０６からステップ１１４を行う。
【００８８】
次に、ステップ６１０（Ｓ６１０）において、第３の温度に設定して試験を行う。具体的には、第３の温度に設定して、第１の実施の形態におけるステップ１０６からステップ１１４を行う。例えば、テーブルタップを４０℃の温度に設定した状態で、第１の実施の形態におけるステップ１０６からステップ１１４を行う。
【００８９】
次に、ステップ６１２（Ｓ６１２）において、補正式を算出する。具体的には、ステップ６０６、ステップ６０８、ステップ６１０において測定された出力電圧の値に基づき、第１の温度、第２の温度、第３の温度における補正式を各々算出する。
【００９０】
次に、ステップ６１４（Ｓ６１４）において、補正データの書込みを行う。具体的には、テーブルタップのメモリ部６２に、第１の温度、第２の温度、第３の温度における補正式及び初期値を書き込む。
【００９１】
本実施の形態において用いられるテーブルタップは、この状態で出荷されるため、図１３に示すフローチャートはこれで終了する。
【００９２】
また、このテーブルタップにおいて電力測定を行う際には、温度測定部８０において測定された温度に基づき、メモリ部６２に書き込まれている補正データのうち電力測定を行うために用いる補正データを選択し読出す。この後、選択され読出された補正データに基づきテーブルタップの各々のコンセント部１０Ａ、１０Ｂ、１０Ｃ、１０Ｄに流れる電流量を算出し、各々のコンセント部１０Ａ、１０Ｂ、１０Ｃ、１０Ｄにおける消費電力を測定する。
【００９３】
次に、図１４に基づき本実施の形態における電流量測定方法及び電力測定方法について説明する。本実施の形態における電流量測定方法及び電力測定方法に用いられるテーブルタップは、上述した図１３に示すフローチャートを終了し、出荷された後の状態におけるテーブルタップである。
【００９４】
最初に、ステップ７０２（Ｓ７０２）において、本実施の形態において用いられるテーブルタップを起動する。具体的には、本実施の形態において用いられるテーブルタップを電源に接続する。例えば、本実施の形態において用いられるテーブルタップに電力の供給を受けるためのコンセントが設けられている場合には、そのコンセントを電源となるコンセントに接続する。
【００９５】
次に、ステップ７０４（Ｓ７０４）において、テーブルタップにおける温度測定を行う。具体的には、温度測定部８０において温度測定を行う。
【００９６】
次に、ステップ７０６（Ｓ７０６）において、温度測定部８０により測定された温度に基づき、演算に用いられる補正データをメモリ部６２よりの読出す。
【００９７】
次に、ステップ７０８（Ｓ７０８）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態でホール素子４２Ａ、４２Ｂ、４２Ｃ、４２Ｄにより測定された出力電圧の値は、各々Ｖ１、Ｖ２、Ｖ３、Ｖ４として記憶される。
【００９８】
次に、ステップ７１０（Ｓ７１０）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ６１において、Ｖ１−Ｖ１０、Ｖ２−Ｖ２０、Ｖ３−Ｖ３０、Ｖ４−Ｖ４０の値を各々算出することにより、各々のコンセント部１０Ａ、１０Ｂ、１０Ｃ、１０Ｄに対応したゼロ点補正を行う。
【００９９】
次に、ステップ７１２（Ｓ７１２）において、キャリブレーション補正を行う。具体的には、図８に示す行列式に基づき各々の各々のコンセント部１０Ａ、１０Ｂ、１０Ｃ、１０Ｄに流れる電流値をＭＰＵ６１において算出する。図８に示す行列式は、Ｐ１に示す補正式となる行列（逆行列となる行列）と、Ｐ２に示すステップ２０８において算出したゼロ点補正を行ったものとＩＡとの積を要素とする行列に基づき算出する。このように算出された電流値Ｉ１、Ｉ２、Ｉ３、Ｉ４は、各々のコンセント部１０Ａ、１０Ｂ、１０Ｃ、１０Ｄにおいて実際に流れる電流値であり、隣接するコンセント部の影響を取り除いた正確な電流値である。
【０１００】
次に、ステップ７１４（Ｓ７１４）において、ステップ７１２において算出された電流値Ｉ１、Ｉ２、Ｉ３、Ｉ４を出力する。具体的には、テーブルタップより通信部７０を介し、電流値Ｉ１、Ｉ２、Ｉ３、Ｉ４を不図示のコンピュータ等に出力する。コンピュータでは、この電流値Ｉ１、Ｉ２、Ｉ３、Ｉ４とテーブルタップにおいて印加されている電圧に基づき、各々のコンセント部１０Ａ、１０Ｂ、１０Ｃ、１０Ｄにおいて消費される電力を算出することができる。
【０１０１】
以上により、本実施の形態における電流量測定方法及び電力測定方法は終了する。本実施の形態における電流量測定方法及び電力測定方法によれば、テーブルタップの設置されている環境の温度に依存することなく、各々のコンセント部１０Ａ、１０Ｂ、１０Ｃ、１０Ｄに接続されている電気機器等において消費される電力を正確に知ることができる。
【０１０２】
これにより、本実施の形態では、フェライトコアの温度依存性に対する補正を行うことができるため、テーブルタップの設置されている環境の温度が変化した場合であっても、正確な電力を測定することができる。
【０１０３】
尚、上記以外の内容については、第１の実施の形態と同様である。また、本実施の形態は、第２及び第３の実施の形態についても適用可能である。
【０１０４】
〔第５の実施の形態〕
（電流量測定システム）
次に、第５の実施の形態について説明する。図１５に示すように、本実施の形態は、テーブルタップ１１０とコンピュータ等の電子計算機１２０とを有する電流量測定システムである。本実施の形態におけるテーブルタップ１１０は、第１の実施の形態におけるテーブルタップにおいてＭＰＵ６１を有していない構造のものであり、これ以外は第１の実施の形態におけるテーブルタップと同様のものである。本実施の形態におけるテーブルタップ１１０は、電子計算機１２０に接続された状態で使用されるものであり、電子計算機１２０の内部にはＭＰＵ１６１が設けられており、このＭＰＵ１６１は、ＭＰＵ６１と同様の機能を有している。また、テーブルタップ１１０と電子計算機１２０は信号ケーブル１２３により接続されている。即ち、テーブルタップ１１０の通信部７０と電子計算機１２０とが信号ケーブル１２３により接続されており、情報通信等を行なうことが可能である。
【０１０５】
また、テーブルタップ１１０は、電源コード１３１及び電源コードに接続されたコンセントプラグ１３２を有しており、コンセントプラグ１３２を壁面コンセント１３３に差込むことにより、電源コード１３１を介しテーブルタップ１１０に電力が供給される。テーブルタップ１１０には、プラグ差込部となるコンセント部１０Ａ、１０Ｂ、１０Ｃ及び１０Ｄが設けられており、コンセント部１０Ａ、１０Ｂ、１０Ｃ及び１０Ｄには、各々電子機器のコンセントプラグが差込まれている。
【０１０６】
具体的には、第１の電子機器１４１のコンセントプラグ１４１Ａは、テーブルタップ１１０のコンセント部１０Ａに差込まれており、第２の電子機器１４２のコンセントプラグ１４２Ａは、テーブルタップ１１０のコンセント部１０Ｂに差込まれている。また、第３の電子機器１４３のコンセントプラグ１４３Ａは、テーブルタップ１１０のコンセント部１０Ｃに差込まれており、第４の電子機器１４４のコンセントプラグ１４４Ａは、テーブルタップ１１０のコンセント部１０Ｄに差込まれている。これにより、第１から第４の電子機器１４１、１４２、１４３、１４４は、各々テーブルタップ１１０より電力の供給を受けることができる。この際、コンセント部１０Ａ、１０Ｂ、１０Ｃ及び１０Ｄに対応して各々設けられた図１５には図示しない電流センサにより、第１から第４の電子機器１４１、１４２、１４３、１４４に供給される電流量が各々測定される。尚、この電流センサはホール素子を有している。
【０１０７】
また、電子計算機１２０内には、データベース１２１が設けられており、第１から第４の電気機器１４１、１４２、１４３、１４４の所定期間内の総電力量等を記憶することができる。また、電子機器１２０にはモニタ１２２が接続されており、モニタ１２２には第１から第４の電気機器１４１、１４２、１４３、１４４における各々の消費電力量を表示することができる。これにより、ユーザはモニタ１２２に表示された消費電力量に基づき電力の削減の検討を行なうことができる。尚、図１５では、コンセント部１０Ａ、１０Ｂ、１０Ｃ及び１０Ｄの全てにコンセントプラグ１４１Ａ、１４２Ａ、１４３Ａ、１４４Ａが差込まれているが、コンセント部１０Ａ、１０Ｂ、１０Ｃ及び１０Ｄの一部にコンセントプラグが差込まれた場合も同様である。
【０１０８】
（電流量測定方法及び電力測定方法）
次に、図５から図８に基づき本実施の形態における電流量測定方法及び電力測定方法について説明する。最初に、図５に基づき本実施の形態において用いられるテーブルタップ１１０の出荷までの工程について説明する。
【０１０９】
まず、ステップ１０２（Ｓ１０２）において、本実施の形態において用いられるテーブルタップ１１０の組立を行う。このテーブルタップ１１０は、４つのコンセント部を有しており、各々のコンセント部１０Ａ、１０Ｂ、１０Ｃ、１０Ｄについては、１ｃｈ、２ｃｈ、３ｃｈ、４ｃｈという場合がある。
【０１１０】
次に、ステップ１０４（Ｓ１０４）において、組み立てられたテーブルタップ１１０に測定器等を接続する。具体的には、組み立てられたテーブルタップ１１０に電源及び電流量等を測定するための測定機器を接続する。この際、情報の一時的な記憶及び演算処理を行なうための不図示の電子計算機も接続される。この電子計算機としては、例えば、電子計算機１２０と同様のものであってもよい。
【０１１１】
次に、ステップ１０６（Ｓ１０６）において、すべてのコンセント部に電流が流れていない状態における各々のホール素子の出力電圧の値を測定する。即ち、コンセント部１０Ａ、１０Ｂ、１０Ｃ、１０Ｄの全てにおいて流れる電流量が０Ａの場合において、各々の電流センサに設けられたホール素子の出力電圧の値を測定する。
【０１１２】
次に、ステップ１０８（Ｓ１０８）において、１ｃｈのコンセント部に電流が流れている状態における出力電圧の値を測定する。即ち、コンセント部１０Ａにのみ、ＩＡ、例えば１Ａの電流を流し、他のコンセント部１０Ｂ、１０Ｃ、１０Ｄには電流が流れていない状態において、各々の電流センサに設けられたホール素子の出力電圧の値を測定する。
【０１１３】
次に、ステップ１１０（Ｓ１１０）において、２ｃｈのコンセント部に電流が流れている状態における出力電圧の値を測定する。即ち、コンセント部１０Ｂにのみ、ＩＡ、例えば１Ａの電流を流し、他のコンセント部１０Ａ、１０Ｃ、１０Ｄには電流が流れていない状態において、各々の電流センサに設けられたホール素子の出力電圧の値を測定する。
【０１１４】
次に、ステップ１１２（Ｓ１１２）において、３ｃｈのコンセント部に電流が流れている状態における出力電圧の値を測定する。即ち、コンセント部１０Ｃにのみ、ＩＡ、例えば１Ａの電流を流し、他のコンセント部１０Ａ、１０Ｂ、１０Ｄには電流が流れていない状態において、各々の電流センサに設けられたホール素子の出力電圧の値を測定する。
【０１１５】
次に、ステップ１１４（Ｓ１１４）において、４ｃｈのコンセント部に電流が流れている状態における出力電圧の値を測定する。即ち、コンセント部１０Ｄにのみ、ＩＡ、例えば１Ａの電流を流し、他のコンセント部１０Ａ、１０Ｂ、１０Ｃには電流が流れていない状態において、各々の電流センサに設けられたホール素子の出力電圧の値を測定する。
【０１１６】
次に、ステップ１１６（Ｓ１１６）において、補正式を算出する。具体的には、上述したステップ１０６からステップ１１４において測定した各々の出力電圧の値に基づき、図６に示す補正式となる行列を算出する。この補正式の算出は不図示の電子計算機において算出される。
【０１１７】
次に、ステップ１１８（Ｓ１１８）において、補正データの書込みを行う。具体的には、テーブルタップ１１０のメモリ部６２に、ステップ１０６において測定した初期値となるＶ１０、Ｖ２０、Ｖ３０、Ｖ４０及びステップ１１６において算出した補正式となる行列を書き込む。
【０１１８】
本実施の形態において用いられるテーブルタップ１１０は、この状態で出荷されるため、図５に示すフローチャートはこれで終了する。
【０１１９】
次に、図７に基づき本実施の形態における電流量測定方法及び電力測定方法について説明する。本実施の形態における電流量測定方法及び電力測定方法に用いられるテーブルタップ１１０は、上述した図５に示すフローチャートを終了した後、出荷されている状態におけるテーブルタップである。
【０１２０】
最初に、ステップ２０２（Ｓ２０２）において、本実施の形態において用いられるテーブルタップ１１０を電源に接続し、テーブルタップ１１０を起動する。具体的には、本実施の形態において用いられるテーブルタップ１１０におけるコンセントプラグ１３２を電力が供給される壁面コンセント１３３に接続する。尚、この際、テーブルタップ１１０は、通信ケーブル１２３により電子計算機１２０に接続されている。
【０１２１】
次に、ステップ２０４（Ｓ２０４）において、メモリ部６２より補正データの読出しを行う。具体的には、ステップ１１８において書き込まれた情報、即ち、メモリ部６２に記憶されている初期値となるＶ１０、Ｖ２０、Ｖ３０、Ｖ４０及び補正式となる行列を電子計算機１２０におけるＭＰＵ１６１に読出す。
【０１２２】
次に、ステップ２０６（Ｓ２０６）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態で各々の電流センサにおけるホール素子により測定された出力電圧の値は、各々Ｖ１、Ｖ２、Ｖ３、Ｖ４として記憶される。
【０１２３】
次に、ステップ２０８（Ｓ２０８）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ１６１において、Ｖ１−Ｖ１０、Ｖ２−Ｖ２０、Ｖ３−Ｖ３０、Ｖ４−Ｖ４０の値を算出することにより、各々のコンセント部１０Ａ、１０Ｂ、１０Ｃ、１０Ｄに対応したゼロ点補正を行う。
【０１２４】
次に、ステップ２１０（Ｓ２１０）において、キャリブレーション補正を行う。具体的には、図８に示す行列式に基づき各々の各々のコンセント部１０Ａ、１０Ｂ、１０Ｃ、１０Ｄに流れる電流値をＭＰＵ１６１において算出する。
【０１２５】
次に、ステップ２１２（Ｓ２１２）において、ステップ２１０において算出された電流値Ｉ１、Ｉ２、Ｉ３、Ｉ４を出力する。更に、電子計算機１２０では、この電流値Ｉ１、Ｉ２、Ｉ３、Ｉ４とテーブルタップにおいて印加されている電圧に基づき、各々のコンセント部１０Ａ、１０Ｂ、１０Ｃ、１０Ｄにおいて消費される電力を算出し、モニタ１２２の表示画面に表示させることができる。これにより、コンセント部１０Ａ、１０Ｂ、１０Ｃ、１０Ｄに接続されている各々の電気機器等の消費電力を正確に知ることができる。
【０１２６】
尚、上記以外の内容については、第１の実施の形態と同様である。また、本実施の形態では、第２から第４の実施の形態においても適用することが可能である。
【０１２７】
〔第６の実施の形態〕
（電流量測定システム）
次に、第６の実施の形態について説明する。図１６に示すように、本実施の形態は、テーブルタップ２１０とコンピュータ等の電子計算機１２０とを有する電流量測定システムである。本実施の形態におけるテーブルタップ２１０は、第１の実施の形態におけるテーブルタップにおいてメモリ部６２を有していない構造のものであり、これ以外は第１の実施の形態におけるテーブルタップと同様のものである。本実施の形態におけるテーブルタップ２１０は、電子計算機１２０に接続された状態で使用されるものであり、電子計算機１２０の内部にはメモリ部１６２が設けられており、このメモリ部１６２はメモリ部６２と同様の機能を有している。
【０１２８】
（電流量測定方法及び電力測定方法）
次に、図５から図８に基づき本実施の形態における電流量測定方法及び電力測定方法について説明する。最初に、図５に基づき本実施の形態において用いられるテーブルタップ２１０の出荷までの工程について説明する。
【０１２９】
まず、ステップ１０２（Ｓ１０２）において、本実施の形態において用いられるテーブルタップ２１０の組立を行う。このテーブルタップ２１０は、４つのコンセント部を有しており、各々のコンセント部１０Ａ、１０Ｂ、１０Ｃ、１０Ｄについては、１ｃｈ、２ｃｈ、３ｃｈ、４ｃｈという場合がある。
【０１３０】
次に、ステップ１０４（Ｓ１０４）において、組み立てられたテーブルタップ２１０に測定器等を接続する。具体的には、組み立てられたテーブルタップ２１０に電源及び電流量等を測定するための測定機器を接続する。この際、情報の一時的な記憶及び演算処理を行なうための不図示の電子計算機も接続される。この電子計算機としては、例えば、電子計算機１２０と同様のものであってもよい。
【０１３１】
次に、ステップ１０６（Ｓ１０６）において、すべてのコンセント部に電流が流れていない状態における各々のホール素子の出力電圧の値を測定する。即ち、コンセント部１０Ａ、１０Ｂ、１０Ｃ、１０Ｄの全てにおいて流れる電流量が０Ａの場合において、各々の電流センサに設けられたホール素子の出力電圧の値を測定する。
【０１３２】
次に、ステップ１０８（Ｓ１０８）において、１ｃｈのコンセント部に電流が流れている状態における出力電圧の値を測定する。即ち、コンセント部１０Ａにのみ、ＩＡ、例えば１Ａの電流を流し、他のコンセント部１０Ｂ、１０Ｃ、１０Ｄには電流が流れていない状態において、各々の電流センサに設けられたホール素子の出力電圧の値を測定する。
【０１３３】
次に、ステップ１１０（Ｓ１１０）において、２ｃｈのコンセント部に電流が流れている状態における出力電圧の値を測定する。即ち、コンセント部１０Ｂにのみ、ＩＡ、例えば１Ａの電流を流し、他のコンセント部１０Ａ、１０Ｃ、１０Ｄには電流が流れていない状態において、各々の電流センサに設けられたホール素子の出力電圧の値を測定する。
【０１３４】
次に、ステップ１１２（Ｓ１１２）において、３ｃｈのコンセント部に電流が流れている状態における出力電圧の値を測定する。即ち、コンセント部１０Ｃにのみ、ＩＡ、例えば１Ａの電流を流し、他のコンセント部１０Ａ、１０Ｂ、１０Ｄには電流が流れていない状態において、各々の電流センサに設けられたホール素子の出力電圧の値を測定する。
【０１３５】
次に、ステップ１１４（Ｓ１１４）において、４ｃｈのコンセント部に電流が流れている状態における出力電圧の値を測定する。即ち、コンセント部１０Ｄにのみ、ＩＡ、例えば１Ａの電流を流し、他のコンセント部１０Ａ、１０Ｂ、１０Ｃには電流が流れていない状態において、各々の電流センサに設けられたホール素子の出力電圧の値を測定する。
【０１３６】
次に、ステップ１１６（Ｓ１１６）において、補正式を算出する。具体的には、上述したステップ１０６からステップ１１４において測定した各々の出力電圧の値に基づき、図６に示す補正式となる行列を算出する。この補正式の算出は不図示の電子計算機において算出される。
【０１３７】
次に、ステップ１１８（Ｓ１１８）において、補正データの書込みを行う。具体的には、ステップ１０６において測定した初期値となるＶ１０、Ｖ２０、Ｖ３０、Ｖ４０及びステップ１１６において算出した補正式となる行列を外部記憶媒体（後述する外部記憶媒体１２４）に書き込む。尚、この外部記憶媒体は出荷の際にテーブルタップ２１０の付属品として出荷されるものであり、具体的な外部記憶媒体としては、光ディスク等が挙げられる。
【０１３８】
本実施の形態において用いられるテーブルタップ２１０は、この状態で出荷されるため、図５に示すフローチャートはこれで終了する。
【０１３９】
次に、図７に基づき本実施の形態における電流量測定方法及び電力測定方法について説明する。本実施の形態における電流量測定方法及び電力測定方法に用いられるテーブルタップ２１０は、上述した図５に示すフローチャートを終了した後、出荷されている状態におけるテーブルタップである。
【０１４０】
最初に、ステップ２０２（Ｓ２０２）において、本実施の形態において用いられるテーブルタップを起動する。具体的には、電子計算機１２０内に外部記憶媒体１２４を挿入し、外部記憶媒体１２４に書き込まれている初期値となるＶ１０、Ｖ２０、Ｖ３０、Ｖ４０及び補正式となる行列を読出し電子計算機１２０におけるメモリ部１６２に記憶させる。また、テーブルタップ２１０を通信ケーブル１２３により電子計算機１２０に接続し、本実施の形態において用いられるテーブルタップ２１０を電源に接続する。テーブルタップ２１０の電源への接続方法は、本実施の形態において用いられるテーブルタップ２１０におけるコンセントプラグ１３２を電力が供給される壁面コンセント１３３に接続することにより行なう。
【０１４１】
次に、ステップ２０４（Ｓ２０４）において、メモリ部１６２より補正データの読出しを行う。具体的には、ステップ１１８において書き込まれた情報、即ち、メモリ部１６２に記憶されている初期値となるＶ１０、Ｖ２０、Ｖ３０、Ｖ４０及び補正式となる行列をテーブルタップのＭＰＵ６１に読出す。
【０１４２】
次に、ステップ２０６（Ｓ２０６）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態で各々の電流センサにおけるホール素子により測定された出力電圧の値は、各々Ｖ１、Ｖ２、Ｖ３、Ｖ４として記憶される。
【０１４３】
次に、ステップ２０８（Ｓ２０８）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ６１において、Ｖ１−Ｖ１０、Ｖ２−Ｖ２０、Ｖ３−Ｖ３０、Ｖ４−Ｖ４０の値を算出することにより、各々のコンセント部１０Ａ、１０Ｂ、１０Ｃ、１０Ｄに対応したゼロ点補正を行う。
【０１４４】
次に、ステップ２１０（Ｓ２１０）において、キャリブレーション補正を行う。具体的には、図８に示す行列式に基づき各々の各々のコンセント部１０Ａ、１０Ｂ、１０Ｃ、１０Ｄに流れる電流値をＭＰＵ６１において算出する。
【０１４５】
次に、ステップ２１２（Ｓ２１２）において、ステップ２１０において算出された電流値Ｉ１、Ｉ２、Ｉ３、Ｉ４を出力する。更に、電子計算機１２０では、この電流値Ｉ１、Ｉ２、Ｉ３、Ｉ４とテーブルタップにおいて印加されている電圧に基づき、各々のコンセント部１０Ａ、１０Ｂ、１０Ｃ、１０Ｄにおいて消費される電力を算出し、モニタ１２２の表示画面に表示させることができる。これにより、コンセント部１０Ａ、１０Ｂ、１０Ｃ、１０Ｄに接続されている各々の電気機器等の消費電力を正確に知ることができる。
【０１４６】
尚、上記以外の内容については、第１の実施の形態及び第５の実施の形態と同様である。また、本実施の形態では、第２から第４の実施の形態においても適用することが可能である。
【０１４７】
〔第７の実施の形態〕
（電流量測定システム）
次に、第７の実施の形態について説明する。図１７に示すように、本実施の形態は、テーブルタップ３１０とコンピュータ等の電子計算機１２０とを有する電流量測定システムである。本実施の形態におけるテーブルタップ３１０は、第１の実施の形態におけるテーブルタップにおいてＭＰＵ６１及びメモリ部６２を有していない構造のものであり、これ以外は第１の実施の形態におけるテーブルタップと同様のものである。本実施の形態におけるテーブルタップ３１０は、電子計算機１２０に接続された状態で使用されるものであり、電子計算機１２０の内部にはＭＰＵ１６１及びメモリ部１６２が設けられている。尚、ＭＰＵ１６１はＭＰＵ６１と同様の機能を有しており、メモリ部１６２はメモリ部６２と同様の機能を有している。
【０１４８】
（電流量測定方法及び電力測定方法）
次に、図５から図８に基づき本実施の形態における電流量測定方法及び電力測定方法について説明する。最初に、図５に基づき本実施の形態において用いられるテーブルタップ３１０の出荷までの工程について説明する。
【０１４９】
まず、ステップ１０２（Ｓ１０２）において、本実施の形態において用いられるテーブルタップ３１０の組立を行う。このテーブルタップ３１０は、４つのコンセント部を有しており、各々のコンセント部１０Ａ、１０Ｂ、１０Ｃ、１０Ｄについては、１ｃｈ、２ｃｈ、３ｃｈ、４ｃｈという場合がある。
【０１５０】
次に、ステップ１０４（Ｓ１０４）において、組み立てられたテーブルタップ３１０に測定器等を接続する。具体的には、組み立てられたテーブルタップ３１０に電源及び電流量等を測定するための測定機器を接続する。この際、情報の一時的な記憶及び演算処理を行なうための不図示の電子計算機も接続される。この電子計算機としては、例えば、電子計算機１２０と同様のものであってもよい。
【０１５１】
次に、ステップ１０６（Ｓ１０６）において、すべてのコンセント部に電流が流れていない状態における各々のホール素子の出力電圧の値を測定する。即ち、コンセント部１０Ａ、１０Ｂ、１０Ｃ、１０Ｄの全てにおいて流れる電流量が０Ａの場合において、各々の電流センサに設けられたホール素子の出力電圧の値を測定する。
【０１５２】
次に、ステップ１０８（Ｓ１０８）において、１ｃｈのコンセント部に電流が流れている状態における出力電圧の値を測定する。即ち、コンセント部１０Ａにのみ、ＩＡ、例えば１Ａの電流を流し、他のコンセント部１０Ｂ、１０Ｃ、１０Ｄには電流が流れていない状態において、各々の電流センサに設けられたホール素子の出力電圧の値を測定する。
【０１５３】
次に、ステップ１１０（Ｓ１１０）において、２ｃｈのコンセント部に電流が流れている状態における出力電圧の値を測定する。即ち、コンセント部１０Ｂにのみ、ＩＡ、例えば１Ａの電流を流し、他のコンセント部１０Ａ、１０Ｃ、１０Ｄには電流が流れていない状態において、各々の電流センサに設けられたホール素子の出力電圧の値を測定する。
【０１５４】
次に、ステップ１１２（Ｓ１１２）において、３ｃｈのコンセント部に電流が流れている状態における出力電圧の値を測定する。即ち、コンセント部１０Ｃにのみ、ＩＡ、例えば１Ａの電流を流し、他のコンセント部１０Ａ、１０Ｂ、１０Ｄには電流が流れていない状態において、各々の電流センサに設けられたホール素子の出力電圧の値を測定する。
【０１５５】
次に、ステップ１１４（Ｓ１１４）において、４ｃｈのコンセント部に電流が流れている状態における出力電圧の値を測定する。即ち、コンセント部１０Ｄにのみ、ＩＡ、例えば１Ａの電流を流し、他のコンセント部１０Ａ、１０Ｂ、１０Ｃには電流が流れていない状態において、各々の電流センサに設けられたホール素子の出力電圧の値を測定する。
【０１５６】
次に、ステップ１１６（Ｓ１１６）において、補正式を算出する。具体的には、上述したステップ１０６からステップ１１４において測定した各々の出力電圧の値に基づき、図６に示す補正式となる行列を算出する。この補正式の算出は不図示の電子計算機において算出される。
【０１５７】
次に、ステップ１１８（Ｓ１１８）において、補正データの書込みを行う。具体的には、ステップ１０６において測定した初期値となるＶ１０、Ｖ２０、Ｖ３０、Ｖ４０及びステップ１１６において算出した補正式となる行列を外部記憶媒体（後述する外部記憶媒体１２４）に書き込む。尚、この外部記憶媒体は出荷の際にテーブルタップ３１０の付属品として出荷される。
【０１５８】
本実施の形態において用いられるテーブルタップ３１０は、この状態で出荷されるため、図５に示すフローチャートはこれで終了する。
【０１５９】
次に、図７に基づき本実施の形態における電流量測定方法及び電力測定方法について説明する。本実施の形態における電流量測定方法及び電力測定方法に用いられるテーブルタップ３１０は、上述した図５に示すフローチャートを終了した後、出荷されている状態におけるテーブルタップである。
【０１６０】
最初に、ステップ２０２（Ｓ２０２）において、本実施の形態において用いられるテーブルタップを起動する。具体的には、電子計算機１２０内に外部記憶媒体１２４を挿入し、外部記憶媒体１２４に書き込まれている初期値となるＶ１０、Ｖ２０、Ｖ３０、Ｖ４０及び補正式となる行列を読出し電子計算機１２０におけるメモリ部１６２に記憶させる。また、テーブルタップ３１０を通信ケーブル１２３により電子計算機１２０に接続し、本実施の形態において用いられるテーブルタップ３１０を電源に接続する。テーブルタップ３１０の電源への接続方法は、本実施の形態において用いられるテーブルタップ３１０におけるコンセントプラグ１３２を電力が供給される壁面コンセント１３３に接続することにより行なう。
【０１６１】
次に、ステップ２０４（Ｓ２０４）において、メモリ部１６２より補正データの読出しを行う。具体的には、ステップ１１８において書き込まれた情報、即ち、メモリ部１６２に記憶されている初期値となるＶ１０、Ｖ２０、Ｖ３０、Ｖ４０及び補正式となる行列をＭＰＵ１６１に読出す。
【０１６２】
次に、ステップ２０６（Ｓ２０６）において、ホール素子４２Ａ、４２Ｂ、４２Ｃ、４２Ｄにおける出力電圧の値を測定する。この際、コンセント部１０Ａ、１０Ｂ、１０Ｃ、１０Ｄにおいて流れる電流は、各々のコンセント部に対応するホール素子において、出力電圧の値として個別に計測される。検出される出力電圧の値は、コンセント部１０Ａ、１０Ｂ、１０Ｃ、１０Ｄにおいて流れる電流量に対応する値である。この状態で各々の電流センサにおけるホール素子により測定された出力電圧の値は、各々Ｖ１、Ｖ２、Ｖ３、Ｖ４として記憶される。
【０１６３】
次に、ステップ２０８（Ｓ２０８）において、ゼロ点補正を行う。具体的には、ステップ２０６において測定された出力電圧の値と、初期値となるＶ１０、Ｖ２０、Ｖ３０、Ｖ４０との差をとることにより行われる。即ち、ＭＰＵ１６１において、Ｖ１−Ｖ１０、Ｖ２−Ｖ２０、Ｖ３−Ｖ３０、Ｖ４−Ｖ４０の値を算出することにより、各々のコンセント部１０Ａ、１０Ｂ、１０Ｃ、１０Ｄに対応したゼロ点補正を行う。
【０１６４】
次に、ステップ２１０（Ｓ２１０）において、キャリブレーション補正を行う。具体的には、図８に示す行列式に基づき各々の各々のコンセント部１０Ａ、１０Ｂ、１０Ｃ、１０Ｄに流れる電流値をＭＰＵ１６１において算出する。
【０１６５】
次に、ステップ２１２（Ｓ２１２）において、ステップ３１０において算出された電流値Ｉ１、Ｉ２、Ｉ３、Ｉ４を出力する。更に、電子計算機１２０では、この電流値Ｉ１、Ｉ２、Ｉ３、Ｉ４とテーブルタップにおいて印加されている電圧に基づき、各々のコンセント部１０Ａ、１０Ｂ、１０Ｃ、１０Ｄにおいて消費される電力を算出し、モニタ１２２の表示画面に表示させることができる。これにより、コンセント部１０Ａ、１０Ｂ、１０Ｃ、１０Ｄに接続されている各々の電気機器等の消費電力を正確に知ることができる。
【０１６６】
尚、上記以外の内容については、第１の実施の形態及び第５の実施の形態と同様である。また、本実施の形態では、第２から第４の実施の形態においても適用することが可能である。
【０１６７】
以上、実施の形態について詳述したが、特定の実施形態に限定されるものではなく、特許請求の範囲に記載された範囲内において、種々の変形及び変更が可能である。
【０１６８】
また、本国際出願は、２０１０年５月２５日に出願した日本国特許出願第２０１０−１１９８５０号に基づく優先権を主張するものであり、日本国特許出願第２０１０−１１９８５０号の全内容を本国際出願に援用する。
【符号の説明】
【０１６９】
１０Ａ、１０Ｂ、１０Ｃ、１０Ｄ        コンセント部
１１Ａ、１１Ｂ、１１Ｃ、１１Ｄ        電源ジャック端子
１２Ａ、１２Ｂ、１２Ｃ、１２Ｄ        電源ジャック端子
１３Ａ、１３Ｂ、１３Ｃ、１３Ｄ        ＧＮＤジャック端子
２１        電力バス
２２        電力バス
２３        ＧＮＤバス
３１Ａ、３１Ｂ、３１Ｃ        電源プラグ端子
３２Ａ、３２Ｂ、３２Ｃ        ＧＮＤプラグ端子
４０Ａ、４０Ｂ、４０Ｃ、４０Ｄ        電流センサ
４１Ａ、４１Ｂ、４１Ｃ、４１Ｄ        フェライトコア
４２Ａ、４２Ｂ、４２Ｃ、４２Ｄ        ホール素子
５０        ＡＤコンバータ
６０        制御演算部
６１        ＭＰＵ（演算部）
６２        メモリ部（記憶部）
６３        Ｉ／Ｏ部
７０        通信部
８０        温度測定部
【図１】
2011148720.tif 000003
【図２】
2011148720.tif 000004
【図３】
2011148720.tif 000005
【図４】
2011148720.tif 000006
【図５】
2011148720.tif 000007
【図６】
2011148720.tif 000008
【図７】
2011148720.tif 000009
【図８】
2011148720.tif 000010
【図９】
2011148720.tif 000011
【図１０】
2011148720.tif 000012
【図１１】
2011148720.tif 000013
【図１２】
2011148720.tif 000014
【図１３】
2011148720.tif 000015
【図１４】
2011148720.tif 000016
【図１５】
2011148720.tif 000017
【図１６】
2011148720.tif 000018
【図１７】
2011148720.tif 000019
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
テーブルタップの複数のコンセント部における電流量を各々測定する電流測定部により、テーブルタップの複数のコンセント部において電流が流れていないときに、各々の前記電流測定部における電圧値を測定する第１の測定工程と、
前記コンセント部のいずれか一つに電流が流れているときに、各々の前記電流測定部における電圧値を測定する第２の測定工程と、
前記第２の測定における電圧値と前記第１の測定における電圧値との差を要素とする行列の逆行列となる補正式を算出する補正式算出工程と、
を有することを特徴とするテーブルタップの電流量補正式算出方法。
【請求項２】
前記電流測定部は、各々の前記コンセント部に前記電流が流れることにより発生する磁界を検出し、前記磁界により変化する電圧値の測定を行うものであることを特徴とする請求項１に記載のテーブルタップの電流量補正式算出方法。
【請求項３】
前記テーブルタップには、記憶部が設けられており、
前記第１の測定工程において測定された電圧値は、前記記憶部に記憶されることを特徴とする請求項１または２に記載のテーブルタップの電流量補正式算出方法。
【請求項４】
前記補正式は、前記記憶部に記憶されることを特徴とする請求項３に記載のテーブルタップの電流量補正式算出方法。
【請求項５】
前記第２の測定工程において測定された電圧値は、前記記憶部に記憶されていることを特徴とする請求項３または４に記載のテーブルタップの電流量補正式算出方法。
【請求項６】
テーブルタップの複数のコンセント部における電流量を各々測定する電流測定部により、テーブルタップの複数のコンセント部において電流が流れていないときに、各々の前記電流測定部における電圧値を測定する第１の測定が行なわれ、
前記コンセント部のいずれか一つに電流が流れているときに、各々前記電流測定部における電圧値を測定する第２の測定が行なわれ、
前記第２の測定における電圧値と前記第１の測定における電圧値との差を要素とする行列の逆行列となる補正式を算出する補正式算出が行なわれているテーブルタップの電流量測定方法において、
前記テーブルタップに電気機器が接続された状態において、前記電流測定部における電圧値を測定する第３の測定工程と、
前記第３の測定工程において測定した電圧値と前記第１の測定により測定した電圧値との差である初期化された値を算出する初期化工程と、
前記補正式と、前記初期化された値に基づき各々のコンセント部に流れる各々の電流量を算出する電流量算出工程と、
を有することを特徴とするテーブルタップの電流量測定方法。
【請求項７】
請求項６に記載の電流量測定方法により算出された前記電流量または前記平均電流量と、前記コンセント部に印加される電圧との積により各々のコンセント部における電力を算出することを特徴とするテーブルタップの電力測定方法。
【請求項８】
テーブルタップの複数のコンセント部における電流量を各々測定する電流測定部により、テーブルタップの複数のコンセント部において電流が流れていないときに、各々の前記電流測定部における電圧値を測定する第１の測定工程と、
前記コンセント部のいずれか一つに電流が流れているときに、前記電流測定部における電圧値を各々測定する第２の測定工程と、
前記第２の測定における電圧値と前記第１の測定における電圧値との差を要素とする行列の逆行列となる補正式を算出する補正式算出工程と、
を有することを特徴とするテーブルタップの製造方法。
【請求項９】
複数のコンセント部と、
前記コンセント部における電流量を各々測定する電流測定部と、
複数の前記コンセント部において電流が流れていないときに各々測定された電流測定部における第１の測定の電圧値、前記コンセント部のいずれか一つに電流が流れているときに各々測定された前記電流測定部における第２の測定の電圧値及び前記第２の測定における電圧値と前記第１の測定における電圧値との差を要素とする行列の逆行列となる補正式が記憶されているメモリ部と、
電気機器が接続された状態において各々測定された前記電流測定部における第３の測定の電圧値と、前記第１の測定により測定した電圧値、前記補正式に基づき各々のコンセント部に流れる各々の電流量を算出する演算部と、
を有することを特徴とするテーブルタップ。
【請求項１０】
複数のコンセント部と、前記コンセント部における電流量を各々測定する電流測定部と、を有するテーブルタップと、
複数の前記コンセント部において電流が流れていないときに各々測定された電流測定部における第１の測定の電圧値、前記コンセント部のいずれか一つに電流が流れているときに各々測定された前記電流測定部における第２の測定の電圧値及び前記第２の測定における電圧値と前記第１の測定における電圧値との差を要素とする行列の逆行列となる補正式が記憶されているメモリ部と、
前記テーブルタップに電気機器が接続された状態において各々測定された前記電流測定部における第３の測定の電圧値と、前記第１の測定により測定した電圧値、前記補正式に基づき各々のコンセント部に流れる各々の電流量を算出する演算部と、
を有することを特徴とする電流量測定システム。
【国際調査報告】
2011148720.tif 000020
2011148720.tif 000021